(57)【要約】ディスプレイと、ＵＥが、第１の特徴に従って、１つ以上の指示子のストリングのうちの各指示子をサポートするかどうかを決定するように構成されているプロセッサとを備えているユーザ機器（ＵＥ）であって、１つ以上の指示子のストリングは、ネットワークを識別し、プロセッサはさらに、ストリングのうちのＵＥによってサポートされている指示子のみを、ＵＥのディスプレイ上に表示するように構成されている、ＵＥ。ＵＥ上に実装される方法であって、ＵＥが、第１の特徴に従って、１つ以上の指示子のストリングのうちの１つ以上の指示子をサポートするかどうかを決定することであって、１つ以上の指示子のストリングは、ネットワークを識別する、ことと、ＵＥによってサポートされるストリングの指示子のみをＵＥのディスプレイ上に表示することとを含む、方法。
2013544043.tif 000002
【特許請求の範囲】
【請求項１】
ユーザ機器（ＵＥ）であって、
ディスプレイと、
前記ＵＥが、第１の特徴に従って、１つ以上の指示子のストリングのうちの１つ以上の指示子をサポートするかどうかを決定するように構成されているプロセッサと
を備え、
前記１つ以上の指示子のストリングは、ネットワークを識別し、前記プロセッサは、前記ストリングのうちの前記ＵＥによってサポートされる指示子のみを前記ＵＥの前記ディスプレイ上に表示するようにさらに構成されている、ユーザ機器（ＵＥ）。
【請求項２】
ユーザ機器（ＵＥ）上に実装される方法であって、
前記ＵＥが、第１の特徴に従って、１つ以上の指示子のストリングのうちの１つ以上の指示子をサポートするかどうか決定することであって、前記１つ以上の指示子のストリングは、ネットワークを識別する、ことと、
前記ストリングのうちの前記ＵＥにサポートされる指示子のみ、前記ＵＥの前記ディスプレイ上に表示することと
を含む、方法。
【請求項３】
前記ストリングのうちのいずれの指示子も表示されない場合、前記ＵＥは、前記第１の特徴に続く優先順位を有する第２の特徴に従って、前記ネットワークを識別する情報を表示しようと試みる、請求項１に記載のＵＥまたは２に記載の方法。
【請求項４】
前記第１の特徴は、汎用加入者識別モジュール（ＵＳＩＭ）特徴であり、前記第２の特徴は、ネットワーク識別および時間帯情報（ＮＩＺＴ）特徴である、請求項１に記載のＵＥまたは請求項２に記載の方法。
【請求項５】
前記第１の特徴に基づき、前記ＵＥは、前記指示子のストリングと、対応するＰＬＭＮ識別子（ＩＤ）とをパブリックランドモバイルネットワーク（ＰＬＭＮ）から受信し、前記指示子のストリングを前記ＵＳＩＭ内に記憶し、前記ＵＥは、ネットワークブロードキャストチャネル（ＢＣＣＨ）において第２のＰＬＡＭＮ  ＩＤをさらに受信し、前記ＵＳＩＭにおける前記指示子のストリングに対応する前記ＰＬＡＭＮ  ＩＤは、前記ＢＣＣＨにおいて受信される前記第２のＰＬＡＭＮ  ＩＤに一致する、請求項４に記載のＵＥ。
【請求項６】
前記ＰＬＭＮ  ＩＤは、モバイル国コード（ＭＭＣ）とモバイルネットワークコード（ＭＮＣ）との任意の組み合わせを備えている、請求項５に記載のＵＥ。
【請求項７】
前記ＰＬＭＮ  ＩＤは、ローカルエリアＩＤ（ＬＡＩ）によって、提供される、請求項５に記載のＵＥ。
【請求項８】
前記第１の特徴は、ネットワーク識別および時間帯情報（ＮＩＺＴ）特徴であり、前記第２の特徴は、ＵＥ記憶情報を使用することに基づく、請求項１に記載のＵＥまたは請求項２に記載の方法。
【請求項９】
前記ＵＥは、前記第１の特徴に基づいて、前記指示子のストリングをネットワークから受信する、請求項８に記載のＵＥ。
【請求項１０】
前記ストリングのうちの各サポートされる指示子に対応する前記ネットワーク情報は、テキストフォーマット、グラフィックフォーマット、または両方で表示される、請求項１に記載のＵＥまたは請求項２に記載の方法。
【請求項１１】
前記ストリングのうちの各サポートされない指示子は、前記ＵＥによってサポートされないフォントタイプに対応する、請求項１に記載のＵＥまたは請求項２に記載の方法。
【請求項１２】
前記ストリングのうちの各サポートされない指示子は、前記ＵＥによって認識されないフォーマットを有する、請求項１に記載のＵＥまたは請求項２に記載の方法。
【請求項１３】
前記ＵＥが、前記ストリングのうちの指示子によって表されるテキストおよびグラフィックを表示しない場合、前記ネットワーク情報は、前記第２の特徴に基づいて表示される、請求項１に記載のＵＥまたは請求項２に記載の方法。
【請求項１４】
前記指示子は、１つ以上の英数字、テキスト、部分的グラフィック、画像、他の識別する指示子、またはそれらの組み合わせを備えている、請求項１に記載のＵＥまたは請求項２に記載の方法。
【請求項１５】
前記ＵＥは、スペース「  」またはハイフン「−」を含む特殊指示子または指示子群が、表示されるために単独で残っている場合、依然として、それらをスキップし、ネットワーク情報を表示するために、前記第１の特徴に続く優先順位を有する第２の特徴を使用することを試みる、請求項１に記載のＵＥまたは請求項２に記載の方法。
【請求項１６】
コンピューティングデバイスのプロセッサによって実行可能なコンピュータ可読命令を記憶するコンピュータ可読媒体であって、前記命令は、前記デバイスに前記方法の請求項のうちのいずれか一項の方法を実装させる、コンピュータ可読媒体。
【発明の詳細な説明】
【背景技術】
【０００１】
本明細書で使用される場合、用語「ユーザ機器」または「ＵＡ」、「モバイル機器」または「ＭＥ」、「基地局」または「ＭＳ」は、携帯電話、携帯情報端末、ハンドヘルドまたはラップトップコンピュータ、および電気通信能力を有する同様のデバイス等、携帯デバイスを指す場合があり、これらはすべて、同じ意味で使用され得る。そのようなＵＥは、デバイスと、限定されないが、加入者識別モジュール（ＳＩＭ）アプリケーション、汎用加入者識別モジュール（ＵＳＩＭ）アプリケーション、または可撤性ユーザ識別モジュール（Ｒ−ＵＩＭ）アプリケーションを含む、汎用集積回路カード（ＵＩＣＣ）等、その関連可撤性メモリモジュールとから成る場合がある。代替として、そのようなＵＥは、そのようなモジュールを伴わずに、デバイス自体から構成される場合がある。
【０００２】
ＵＥが、地上波公共移動通信ネットワーク（ＰＬＭＮ）に接続すると、ＰＬＭＮは、典型的には、ネットワーク名情報をＵＥに提供する。ＵＥは、次いで、典型的には、そのディスプレイ画面上に、それが接続されるネットワーク名を表示する。ネットワーク名情報が、ＵＥに提供され得る方法の１つは、ネットワーク識別および時間帯（ＮＩＴＺ）特徴として知られ、該特徴において、ネットワークは、ＵＥに、ネットワーク名をコーディングする、テキストストリングを送信する。コーディングは、モバイル通信用グローバルシステム（ＧＳＭ（登録商標））のデフォルトアルファベットに従って、または汎用文字セット（ＵＣＳ）を規定する、国際標準化機構／国際電気標準会議（ＩＳＯ／ＩＥＣ）規格１０６４６に従って、行われる場合がある。
【発明の概要】
【課題を解決するための手段】
【０００３】
最初に、本開示の１つ以上の実施形態の例示的実装を以下で提供するが、開示されたシステムおよび／または方法は、現在既知であるか、または既存であるかにかかわらず、任意の数の技法を使用して実装され得ることを理解されたい。本開示は、本明細書で図示および説明される例示的設計および実装を含む、以下で図示される例示的実装、図面、および技法に決して限定されるべきではないが、同等物の全範囲とともに、添付の請求項の範囲内で修正され得る。
【０００４】
無線ネットワークまたは無線アクセスネットワーク（ＲＡＮ）は、複数の方式のうちの１つを使用して、ネットワーク情報を接続されたＵＥに提供し得る。ネットワーク情報は、ＵＥ上に表示され、ＵＥのユーザに、ネットワーク名、国名、ネットワークを表すグラフィック、および／または他の関連情報等、ネットワークに関する情報を提供し得る。用語「ネットワーク情報」、「ネットワーク名情報」、「ネットワーク識別子情報」、および「ネットワーク識別情報」はすべて、本明細書では、同じ意味で使用され、ネットワークを識別するために使用され、ＵＥ上に表示され得る、任意の情報を表し得る。第三世代パートナーシッププロジェクト（３ＧＰＰ）技術仕様（ＴＳ）２２．１０１は、ＰＬＭＮに接続する、ＵＥに、ネットワーク情報を提供するための３つの代替特徴を説明する。代替特徴は、優先順位に基づいて、実装され得、次の優先順位特徴は、より高い優先順位特徴がすべて、利用不可能またはサポートされていない場合、実装され得る。提案される特徴として、１）ＵＳＩＭ内の情報およびネットワークによって提供される関連付けられた情報の使用、２）ネットワークから送信されるネットワーク識別および時間帯情報（ＮＩＺＴ）の使用、および３）ＵＥまたはＭＥ内に記憶される情報の使用が、挙げられる。
【０００５】
ＵＥが、ネットワーク情報を表示するための２つ以上の特徴をサポートする場合、ＵＥは、最高優先順位を伴う特徴を使用し、残りの特徴を無視し得る。典型的には、ＵＳＩＭ情報の使用は、第１の優先順位を有し得、したがって、最初に試みられ得る。ＮＩＺＴの使用は、第２の優先順位を有し得、ＵＳＩＭ情報が利用不可能である場合、試みられ得る。ＭＥ情報の使用は、第３の優先順位を有し得、したがって、他の２つの特徴が両方とも、利用不可能またはサポートされていない場合、実装され得る。ある場合には、例えば、ＵＳＩＭまたはＮＩＺＴ特徴を使用しているときに、ネットワークが、ＵＥ上に適切に表示することができない、ネットワーク情報をＵＥに送信し得る。例えば、ＵＥは、サポートされない、またはＵＥ上に適切に表示することができない形式において、ネットワーク名をＵＥに示す、文字のストリングを送信する、無線ネットワークに接続し得る。典型的には、そのような場合、ＵＥは、ＵＥのユーザに有用情報を提供しない、文字化け等の誤った（または、「不要情報」）文字を表示し得る。
【０００６】
ネットワーク情報の表示の間等、ＵＥ上に誤ったまたは理解不能な指示子の表示を防止する、方法およびシステムが、本明細書において開示される。ある実施形態では、指示子のストリングは、ネットワーク識別情報を表し得る。別の実施形態では、指示子のストリングは、任意の対応する情報をＵＥ上に表示するために、ＵＥによってデコードされる任意のストリングであり得る。指示子は、１つ以上の英数字、表意文字、テキスト、部分的グラフィック、画像、他の識別指示子、文字、記号、またはそれらの組み合わせを備え得る。本方法は、それらの指示子が、ＵＥによってサポートされない形式またはタイプである場合、ネットワーク情報と関連付けられた１つ以上の指示子をスキップすることを含む。指示子のストリングは、例えば、ＵＳＩＭ特徴の使用中、またはＮＩＺＴ特徴の使用中（例えば、ＵＳＩＭ特徴が利用不可能またはサポートされない場合）に、ネットワークから送信され得る。したがって、ＵＥは、ネットワーク情報を表示するために、特徴のうちの１つの使用中、ＵＥによってサポートされる形式またはタイプにおいて受信される指示子のみ、表示し得る。指示子のいずれも、ＵＥによってサポートされる形式で受信されない場合、指示子はすべて、スキップされ得、特徴は、サポートされる場合でも、使用されない場合がある。代わりに、ネットワーク情報を表示するための次の利用可能な高優先順位特徴が試みられ得る。同様に、サポートされる形式において受信される指示子のみ、次の高優先順位特徴の使用中、表示され得る。このプロセスは、ネットワーク情報と関連付けられる指示子が、利用可能特徴に従って、適切に表示され得るまで反復され得る。ある実施形態では、ＵＥは、スペース「  」またはハイフン「−」等、表示されるために単独で残っている場合、依然として、特殊指示子または指示子群をスキップし、ネットワーク情報を表示するための次の利用可能な高優先順位特徴の使用を試み得る。
【図面の簡単な説明】
【０００７】
ここで、本開示のより完全な理解のために、添付の図面および発明を実施するための形態と関連して、以下の簡単な説明を参照する（類似参照数字は、類似部品を表す）。
【図１】図１は、本開示のある実施形態による、ＵＥが、他のネットワークコンポーネントおよびデバイスのうちの少なくとも１つと通信することを可能にする、通信システムの概略図である。
【図２】図２は、本開示のある実施形態による、非サポート文字をスキップするためのブロック図である。
【図３】図３は、本開示のいくつかの実施形態を実装するために好適なプロセッサおよび関連コンポーネントを図示する。
【発明を実施するための形態】
【０００８】
図１は、３ＧＰＰに説明されるようなロングタームエボリューション（ＬＴＥ）またはＬＴＥアドバンスド（ＬＴＥ−Ａ）、ＧＳＭ（登録商標）ネットワーク、ＧＳＭ（登録商標）エッジ無線アクセスネットワーク（ＧＥＲＡＮ）、汎用モバイル電気通信システム（ＵＭＴＳ）ネットワーク、汎用地上無線アクセスネットワーク（ＵＴＲＡＮ）、電気電子技術者協会（ＩＥＥＥ）８０２．１１ネットワーク、符号分割多重アクセス方式（ＣＤＭＡ２０００）ネットワーク、または任意の他の既存のまたは後に開発されるネットワークを備え得る、無線アクセスネットワーク（ＲＡＮ）１００の実施形態を図示する。この実施例では、ＬＴＥまたはＬＴＥ−Ａシステムは、従来の基地局ではなく、進化型汎用地上無線通信アクセスネットワーク（Ｅ−ＵＴＲＡＮ）ノードＢ（または、ｅＮＢ）、無線アクセスポイント、または類似コンポーネントを含み得る。図１は、実施例であって、他の実施形態では、他のコンポーネントまたは配置を有し得る。ある実施形態では、ＲＡＮ１００は、少なくとも１つの第１のアクセスデバイス１１０と、少なくとも１つのＵＥ１２０とを備え、両方とも、セル１３０内に位置し得る。ＲＡＮ１００はまた、第１のネットワーク１４０を備え得るか、またはそれに連結され得る。
【０００９】
本明細書で使用される場合、用語「アクセスデバイス」は、概して、ＵＥ１２０または中継ノード（図示せず）を第２のＵＥ１２０等の電気通信システム内の他のコンポーネントにアクセスあるいはそれと通信可能にする受信および伝送サービス範囲の地理的エリアを創出する、従来の基地局、無線アクセスポイント、あるいはＬＴＥまたはＬＴＥ−ＡノードＢまたはｅＮＢ等、無線ネットワークの任意のコンポーネントを指す。本書では、用語「アクセスノード」および「アクセスデバイス」は、同じ意味で使用され得るが、アクセスノードは、複数のハードウェアおよびソフトウェアコンポーネントを備え得ることを理解されたい。
【００１０】
第１のアクセスデバイス１１０は、ＵＴＲＡＮにおけるように、直接、直接リンクを介して、同一セル１３０内の任意のＵＥ１２０と通信し得る。セル１３０は、受信および伝送サービス範囲の地理的エリアであり得る。例えば、直接リンクは、第１のアクセスデバイス１１０とＵＥ１２０との間に確立される、２地点間リンクであり、２つの間の信号を送受信するために使用され得る。ＵＥ１２０は、ネットワークに登録されていても、されていなくてもよく、例えば、３ＧＰＰ  ＴＳ２３．１２２に定義されるような「手動ＰＬＭＮ選択モード」を使用して、１つ以上のネットワーク名に関する情報の表示を試み得る。代替として、ＵＥは、３ＧＰＰ  ＴＳ２３．１２２に説明されるように、「自動ＰＬＭＮ選択モード」を使用して、１つ以上のネットワーク名に関する情報の表示を試み得る。代替として、第１のアクセスデバイス１１０は、Ｅ−ＵＴＲＡＮにおけるように、共有リンクを通じて、同一セル１３０内の任意のＵＥ１２０と通信し得る。例えば、共有リンクは、アップリンク共有チャネルおよびダウンリンク共有チャネルを備え得る。加えて、第１のアクセスデバイス１１０は、他のコンポーネントまたはデバイスと通信し、ＲＡＮ１００のコンポーネントに、例えば、類似または異なるネットワークプロトコルあるいは技術を使用して、任意の他のネットワークへのアクセスを提供し得る。ある実施形態では、ＵＥ１２０は、異なるセル１３０間を動き回り、その通信は、異なるセル１３０間でハンドオーバされ得、ＵＥ１２０は、異なるアクセスデバイスと通信し得る。
【００１１】
第１のアクセスデバイス１１０はまた、ＵＥ１２０が、第１のネットワーク１４０に位置する、またはそれに連結され得る、少なくとも１つのプロビジョニングサーバ１４５と通信するのを可能にし得る。第１のネットワーク１４０は、無線ネットワーク、有線ネットワーク、あるいは任意の有線または無線ネットワークの組み合わせを備え得る。ネットワークは、無線ＬＡＮ（ＷＬＡＮ）ネットワーク、イーサネット（登録商標）ベースのネットワーク、インターネットプロトコル（ＩＰ）ベースのネットワーク、デジタル加入者回線（ＤＳＬ）ネットワーク、光通信ネットワーク、あるいは通信／データをＵＥ１２０と交換するために使用され得る、任意の他の無線または有線ネットワークの任意の組み合わせを含み得る。
【００１２】
ある実施形態では、ＲＡＮ１００はまた、第２のアクセスデバイス１１２および／または第２のネットワーク１４２を備え得る。第２のアクセスデバイス１１２は、第１のアクセスデバイス１１０と同様に構成され得、第２のネットワーク１４２は、第１のネットワーク１４０に類似する任意の有線または無線ネットワークであり得る。ＵＥ１２０は、ＵＥ１２０と同一セル１３２内に位置し得る、第２のアクセスデバイス１１２を介して、第２のネットワーク１４２に接続され得る。ＵＥ１２０は、第１のネットワーク１４０および第２のネットワーク１４２の両方に接続し得、または２つのネットワークのうちのいずれか一方を接続するために選択し得る（例えば、対応するアクセスデバイスを介して）。別の実施形態では、ＲＡＮ１００は、２つ以上の第２のアクセスデバイス１１２および／または２つ以上の第２のネットワーク１４２を備え得、種々のタイプのハイブリッドまたは混合ネットワーク構成、例えば、共有ネットワーク、同等ＰＬＭＮ、またはマルチオペレータコアネットワーク（ＭＯＣＮ）もまた、除外されない。
【００１３】
ある実施形態では、ＵＥ１２０は、例えば、ＵＥ１２０が、第１のアクセスデバイス１１０または第１のネットワーク１４０と接続を確立するときに、ネットワーク情報を、第１のアクセスデバイス１１０または第１のネットワーク１４０から受信するように構成され得る。代替として、ネットワーク情報は、ＵＥ１２０が、第１のアクセスデバイス１１０または第１のネットワーク１４０と接続を確立する前に、提供されていることもある。例えば、ＵＳＩＭ特徴を使用する場合、関連情報が、ホームＰＬＭＮによって、前もって提供され、次いで、ＵＥ１２０が、ホームＰＬＭＮ上にキャンプオンするとき、ＵＥ１２０によって、後に使用され得る。代替として、関連情報が、ホームＰＬＭＮによって、前もって提供され、次いで、ＵＥ１２０が、訪問先ＰＬＭＮ上にキャンプオンするときに、ＵＥ１２０によって、後に使用され得る。
【００１４】
ネットワーク情報は、ネットワーク名、国名、場所エリア、ネットワーク関連グラフィック（例えば、ロゴ）、またはＵＥのユーザが、ＵＥ１２０に接続されたネットワークを区別することを可能にし得る、類似情報の任意の組み合わせを含み得る。ネットワーク情報は、英文字、数字文字、記号文字、表意文字、グラフィックをＵＥ上に表示する文字（コード）、またはそれらの組み合わせを備えている、指示子のストリングで送信され得る。したがって、ユーザは、ＵＥ１２０上に表示されるネットワーク情報を閲覧し、示されるネットワークに接続されたままにするか、または代わりに、異なるネットワークに接続するかどうかを決定し得る。
【００１５】
ＵＳＩＭ特徴に基づいて、ＵＥ１２０は、複数の利用可能なネットワークに対応し得る、ネットワーク情報を受信し、ＵＳＩＭ内に記憶するように構成され得る。続いてＵＥ１２０は、第１のネットワーク１４０から特定の情報を受信し（ネットワークと接続確立後）、この情報をＵＳＩＭ内に記憶された情報と一致させ、関連ネットワークに関する情報を表示し得る。例えば、ＵＥ１２０は、ホームＰＬＭＮから、指示子またはコードの１つ以上のストリングおよび１つ以上の対応するＰＬＭＮ識別子（ＩＤ）を受信し得る。ＰＬＭＮ  ＩＤは、モバイル国コード（ＭＣＣ）、モバイルネットワークコード（ＭＮＣ）、ローカルエリアＩＤ（ＬＡＩ）、またはそれらの組み合わせを備え得る。ＵＥ１２０はまた、ネットワークブロードキャストチャネル（ＢＣＣＨ）において接続されたネットワーク（または、ＵＥ１２０の範囲内であり得る、複数のネットワーク）に対するＰＬＭＮ  ＩＤを受信し得る。したがって、ＵＥ１２０は、ＢＣＣＨにおけるＰＬＭＮ  ＩＤをＵＳＩＭ内に記憶されたＰＬＭＮ  ＩＤのうちの１つと一致させ、ＰＬＭＮ  ＩＤに対応する、ＵＳＩＭ内の指示子のストリングに基づいて、テキストおよび／またはグラフィックを表示し得る。
【００１６】
指示子のストリングは、ＵＥ１２０によって、ネットワーク名および／または関連情報を表示するために使用され得る。しかしながら、ＵＥ１２０は、例えば、ネットワークによって意図されるように、適切に表示されない、ストリング内の１つ以上の指示子をスキップし得る。ストリング内のスキップされた指示子は、ＵＥ１２０が、ＵＥ１２０の本国、またはＵＥ１２０が通常使用される国以外の別の国において使用される場合等、ＵＥ１２０によってサポートまたは認識されない、特定のフォントまたは形式において表示されることが意図され得る。例えば、ＵＥ１２０は、英語フォントタイプのみで指示子を表示し、中国語フォントタイプでは表示しないように構成され得、したがって、ＵＥ１２０は、ＵＥ１２０が中国においてネットワークに接続されている場合、意図される中国フォントタイプにおいて、ネットワーク名を適切に表示しない。そのような場合、ＵＥは、ＵＥ１２０によってサポートまたは認識されない、フォントまたは形式に対応する全指示子をスキップし、ＵＥ１２０によってサポートされるフォントまたは形式に対応するストリングの指示子のみを表示し得る。したがって、ＵＥ１２０は、理解不能テキストおよび／またはグラフィック等、不正確な指示子の表示を回避するために、任意の指示子を表示しないことがある。
【００１７】
不正確または理解不能指示子の表示回避は、ユーザによる混乱を排除し、全体的ユーザインターフェース経験を改善する。例えば、ＵＥ１２０は、ストリング内のサポートされる指示子に関連するネットワークグラフィックまたはロゴを表示するが、関連指示子が非サポートまたは非認識フォントである場合、ネットワーク名をスキップし得る。ある実施形態では、ＵＥは、グラフィックの１つ以上の非サポート画素を表す、指示子をスキップし得る。例えば、サポートされる画素形式のみ備えているグラフィックの一部は、表示され得る一方、グラフィックの残りの非サポート画素形式は、表示され得、これは、本明細書では、「部分的グラフィック」と称され得る。
【００１８】
ＵＥ１２０が、ストリング内の全指示子をスキップし、したがって、ストリング内で表されるどんなテキストおよびグラフィックも表示しない場合、ＵＥは、ＵＳＩＭ特徴の使用を完全にスキップし、ＮＩＺＴ特徴であり得る、次のより高い優先順位特徴の使用を試み得る。ＮＩＺＴ特徴に基づいて、ＵＥ１２０は、表示されるネットワーク名を示す、指示子またはコードのストリングを受信するように構成され得る。指示子のストリングは、例えば、ＲＡＮ１００を介して、モバイルスイッチングセンター（ＭＳＣ）、サービング汎用パケット無線サービス（ＧＰＲＳ）サポートノード（ＳＧＳＮ）またはモビリティ管理エンティティ（ＭＭＥ）によって送信され得る。例えば、ストリングは、それぞれ、３ＧＰＰ  ＴＳ２４．００８に従って、メッセージモビリティ管理（ＭＭ）情報またはＧＰＲＳＭＭ（ＧＭＭ）情報で、第二世代（２Ｇ）または第三世代（３Ｇ）ネットワークにおいて送信され得る。代替として、ストリングは、３ＧＰＰ  ＴＳ２４．３０１に従って、メッセージ進化型パケットシステム（ＥＰＳ）ＭＭ（または、ＥＭＭ）情報で、ＬＴＥにおいて送信され得る。
【００１９】
ＵＥ１２０は、ＵＳＩＭ特徴の場合と同様に、ＮＩＺＴ特徴の使用中、指示子の表示に対処し得る。したがって、ＵＥ１２０は、それらの指示子が、サポートされず、ＵＥ１２０上に適切に表示されない場合、ストリング内の１つ以上の指示子をスキップし得る。ＵＥ１２０が、ストリング内の全指示子をスキップし、したがって、どんなテキスト（および／またはグラフィック）も表示しない場合、ＵＥは、ＮＩＺＴ特徴の使用を完全にスキップし、記憶されたＭＥ情報を使用し得る次のより高い優先順位特徴の使用を試み得る。記憶されたＭＥ情報特徴に基づいて、ＵＥ１２０は、ＢＣＣＨにおいて受信されたＰＬＭＮ  ＩＤをＵＥに記憶されたＰＬＭＮ  ＩＤのうちの１つと一致させ、ＰＬＭＮ  ＩＤに対応する、ローカルに記憶された指示子のストリングに基づいて、テキストおよび／またはグラフィックを表示するように構成され得る。ＵＥの記憶情報は、ＵＥによって完全に認識され、したがって、ＵＥは、この特徴を使用して、テキストおよび／またはグラフィックの形態において等、全指示子を適切に表示可能であり得る。
【００２０】
他の実施形態では、ＵＥはまた、追加の特徴を使用して、ネットワーク情報を表示するように構成され得る。ＵＥは、優先順位の順番において、追加の特徴または複数の特徴の使用を試み、前述のＵＳＩＭおよびＮＩＺＴ特徴の場合と同様に、指示子の表示に対処し得る。例えば、ＵＥ１２０はまた、前述の３つの特徴より低い優先順位を有し得る、ＢＣＣＨを通じて受信されたＰＬＭＮ  ＩＤを表示する、第４のネットワーク情報表示特徴を使用するように構成され得る。ＵＥ１２０が、いずれのＰＬＭＮ  ＩＤ一致も、記憶された情報内に見つからない場合等、任意の理由から、記憶されたＭＥ情報特徴を使用不可能である場合、ＵＥ１２０は、第４の特徴を使用して、認識またはサポートされる指示子のみ表示し得る。
【００２１】
一実施例では、ＵＥ１２０は、国ＩＤおよび／またはＰＬＭＮ  ＩＤを使用して、どのＰＬＭＮに、ＵＥ１２０が接続されているかを示し得る。これは、ＵＥ１２０が、「ローミング」モードにあり、ユーザの選択肢のＰＬＭＮに接続されている場合に、ユーザが、それを把握することを可能にし得る。ＵＥ１２０は、２つ以上のＰＬＭＮが、エリア内で利用可能であり得る場合、そのＰＬＭＮ  ＩＤを使用し得る。ＵＥ１２０は、ＰＬＭＮ  ＩＤを使用して、対応するＰＬＭＮ名を表示し得る。ＰＬＭＮ名は、ＵＥ上に記憶され、ブロードキャストチャネル上で受信されるＭＣＣおよびＭＮＣの組み合わせを備えている、ＰＬＭＮ  ＩＤと関連付けられ得る。ＰＬＭＮ名は、例えば、３ＧＰＰ  ＴＳ２２．０４２に従って、ＮＩＴＺにおいて受信され得るそのＰＬＭＮ名は、ＵＥ上に記憶された利用可能なＰＬＭＮ名の代わりに、ＵＥ１２０によって使用され得る。ＰＬＭＮ名は、テキストおよび／またはグラフィック形式において、ＵＳＩＭ内に記憶され、ブロードキャストチャネル上で受信される、ＭＣＣ、ＭＮＣ、および随意に、ＬＡＩの組み合わせを備えている、ＰＬＭＮ  ＩＤと関連付けられ得る。ＵＳＩＭは、それに対して同一名が表示され得る約１０個のＰＬＭＮ  ＩＤを記憶し得る。この場合、ＵＥ１２０は、ＮＩＴＺで利用可能なＰＬＭＮ名またはＵＥ上に記憶されたＰＬＭＮ名の代わりに、ＵＳＩＭ内のＰＬＭＮ名を使用し得る。
【００２２】
しかしながら、ＵＥ１２０が、ＵＳＩＭ内の１つ以上の指示子を適切に表示不可能である場合、例えば、ＵＥ１２０が、ＰＬＭＮ名の言語フォントまたは記号をサポートしていない場合、その場合、ＵＥ１２０は、ＰＬＭＮ名のそれらの指示子を表示しないことがある。ＵＥ１２０が、ＵＳＩＭ内のＰＬＭＮ名の全指示子をスキップし、また、ＵＳＩＭ内で示され得る、どんなグラフィックも表示不可能である場合、ＵＥ１２０は、ＮＩＴＺ内のＰＬＭＮ名の表示を試み得る。同様に、ＵＥ１２０が、ＮＩＴＺ内の１つ以上の指示子を適切に表示不可能である場合、ＵＥ１２０は、ＰＬＭＮ名のそれらの指示子の表示をスキップし得る。ＵＥ１２０が、ＮＩＺＴ内のＰＬＭＮ名の全指示子をスキップする場合、ＵＥ１２０は、ＵＥ上に記憶されたＰＬＭＮ名を表示し得る。
【００２３】
図２は、ネットワーク情報表示特徴の使用中、非サポート指示子をスキップし、表示しないための方法２００の実施形態を図示する。代替として、方法２００は、ＵＥ上に情報を表示するために、ＵＥ１２０上でデコードされるストリング（例えば、テキストストリング）内の非サポート指示子をスキップし、表示しないために実装され得る。方法２００は、ＵＥ１２０上で実装され得る。ブロック２２０では、ＵＥは、ＰＬＭＮまたは他のシステムから、ＰＬＭＮ  ＩＤおよび／または他のＰＬＭＮ識別ネットワーク情報を備え得るＰＬＭＮ関連情報を受信し得る。例えば、ＵＥ１２０は、第１のアクセスデバイス１１０またはＲＡＮ１００と確立された通信に基づいて、ＢＣＣＨからＰＬＭＮ  ＩＤまたは他の情報を受信し得る。ブロック２３０では、ＵＥは、受信したＰＬＭＮ関連情報と関連付けられる、ネットワーク名情報の表示に関連する特徴を選択し得る。例えば、ＵＥ１０２は、複数のサポート特徴の中で最高優先順位を有する、ＵＳＩＭ特徴または他の特徴の使用を試み得る。
【００２４】
ブロック２４０では、ＵＥは、ＵＥによってサポートされる文字または部分的グラフィック等、受信したＰＬＭＮ関連情報と関連付けられるＰＬＭＮ名および／または関連ＰＬＭＮ情報の指示子のみ表示し、全ての非サポート指示子をスキップし得る。例えば、ＵＥ１２０は、ＵＳＩＭ内で認識された指示子のみ使用して、ＰＬＭＮ名および／またはグラフィックを表示し、例えば、非サポート言語フォントまたは形式を有し得る、非認識指示子をスキップし得る。ブロック２５０では、ＵＥは、全指示子がスキップされたかどうかを検証し得る。全指示子がスキップされた場合、ＵＥは、ブロック２７０に進み、ＵＥは、ネットワーク名情報を表示するための次の優先順位特徴を選択し得る。例えば、ＵＥ１２０は、ＵＳＩＭ特徴に続いて次の優先順位を有し得る、ＮＩＺＴ特徴に基づいて、ネットワーク名情報を表示するステップの実装を試み得る。ブロック２７０後、ＵＥは、ブロック２４０に戻り、以前の特徴におけるように、指示子を対処し得る。ブロック２５０内の条件が、該当しない場合、例えば、ＵＥ１２０が、１つ以上の指示子を適切に表示した場合、ＵＥは、ブロック２６０に進み、手順は、終了し得る。
【００２５】
前述のＵＥは、前述のアクションに関する命令を実行することが可能である、処理コンポーネントを含む場合がある。図３は、本明細書で開示される１つ以上の実施形態を実装するために好適な処理コンポーネント３１０を含む、システム３００の実施例を図示する。プロセッサ３１０（中央プロセッサユニットまたはＣＰＵと称され得る）に加えて、システム３００は、ネットワーク接続デバイス３２０、ランダムアクセスメモリ（ＲＡＭ）３３０、読み出し専用メモリ（ＲＯＭ）３４０、二次記憶装置３５０、入出力（Ｉ／Ｏ）デバイス３６０を含む場合がある。これらのコンポーネントは、バス３７０を介して、相互に通信する場合がある。ある場合には、これらのコンポーネントのうちのいくつかは、存在しなくてもよく、あるいは相互にまたは図示されない他のコンポーネントとの種々の組み合わせにおいて組み合わせられ得る。これらのコンポーネントは、単一の物理エンティティ、または２つ以上の物理エンティティ内に位置する場合がある。プロセッサ３１０によって行われるものとして本明細書で説明される、任意のアクションは、プロセッサ３１０によって単独で、またはデジタル信号プロセッサ（ＤＳＰ）３８０等、図面に示されている、または示されていない１つ以上のコンポーネントと併せて、行われる場合がある。ＤＳＰ３８０は、別個のコンポーネントとして示されているが、ＤＳＰ３８０はプロセッサ３１０に組み込まれる場合がある。
【００２６】
プロセッサ３１０は、それがネットワーク接続デバイス３２０、ＲＡＭ３３０、ＲＯＭ３４０、または二次記憶装置３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つだけのＣＰＵ３１０が示されているが、複数のプロセッサが存在し得る。したがって、命令は、プロセッサによって実行されるものとして論議され得るが、命令は、同時に、連続的に、または別様に、１つまたは複数のプロセッサによって実行され得る。プロセッサ３１０は、１つ以上のＣＰＵチップとして実装され得る。
【００２７】
ネットワーク接続デバイス３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、ＣＤＭＡ（例えば、ＣＤＭＡ２０００）デバイス等の無線送受信機デバイス、ＧＳＭ（登録商標）無線送受信機デバイス、マイクロ波アクセス用の世界的相互運用性（ＷｉＭＡＸ）デバイス、ＵＭＴＳ地上無線アクセスシステム（ＵＴＲＡ）、進化型ＵＭＴＳ地上無線アクセスシステム（Ｅ−ＵＴＲＡ）、３Ｇロングタームエボリューション（ＬＴＥ）、ＧＳＭ（登録商標）エッジ無線アクセスシステム（ＧＥＲＡＮ）、および／またはネットワークに接続するための他の周知のデバイスの形態を成し得る。これらのネットワーク接続デバイス３２０は、プロセッサ３１０が情報を受信する場合がある、またはプロセッサ３１０が情報を出力する場合がある、インターネットまたは１つ以上の電気通信ネットワーク、あるいは他のネットワークと、プロセッサ３１０が通信することを可能にし得る。ネットワーク接続デバイス３２０はまた、無線でデータを伝送および／または受信することが可能な１つ以上の送受信機コンポーネント３２５を含む場合がある。
【００２８】
ＲＡＭ３３０は、揮発性データを記憶するために、および、おそらくプロセッサ３１０によって実行される命令を記憶するために、使用される場合がある。ＲＯＭ３４０は、典型的には、二次記憶装置３５０のメモリ容量よりも小さいメモリ容量を有する、不揮発性メモリデバイスである。ＲＯＭ３４０は、命令、およびおそらく命令の実行中に読み出されるデータを記憶するために、使用される場合がある。ＲＡＭ３３０およびＲＯＭ３４０の両方へのアクセスは、典型的には、二次記憶装置３５０へのアクセスよりも速い。二次記憶装置３５０は、典型的には、１つ以上のディスクドライブまたはテープドライブから成り、ＲＡＭ３３０が全作業データを保持するほど十分に大きくない場合に、データの不揮発性記憶のために、またはオーバーフローデータ記憶デバイスとして使用される場合がある。二次記憶装置３５０は、ＲＡＭ３３０にロードされるプログラムが実行のために選択されると、そのようなプログラムを記憶するために使用され得る。
【００２９】
Ｉ／Ｏデバイス３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入出力デバイスを含み得る。また、送受信機３２５は、ネットワーク接続デバイス３２０のコンポーネントである代わりに、またはそれに加えて、Ｉ／Ｏデバイス３６０のコンポーネントと見なされる場合がある。
【００３０】
以下は、あらゆる目的のために、参照することによって、本明細書に組み込まれる：３ＧＰＰ  ＴＳ２２．１０１、３ＧＰＰ  ＴＳ２４．００８、３ＧＰＰ  ＴＳ２４．３０１．３０１、３ＧＰＰ  ＴＳ２２．０４２、および３ＧＰＰ  ＴＳ２３．１２２。
【００３１】
ある実施形態では、ＵＥが、提供される。ＵＥは、ディスプレイと、ＵＥが、第１の特徴に従って、１つ以上の指示子のストリングの各指示子をサポートするかどうかを決定するように構成されている、プロセッサとを含み、１つ以上の指示子のストリングは、ネットワークを識別し、プロセッサはさらに、ＵＥによってサポートされるストリング内の指示子のみ、ＵＥのディスプレイ上に表示するように構成されている。
【００３２】
別の実施形態では、ＵＥ上に実装される方法が、提供される。本方法は、ＵＥが、第１の特徴に従って、１つ以上の指示子のストリングのうちの１つ以上の指示子をサポートするかどうかを決定するステップであって、１つ以上の指示子のストリングが、ネットワークを識別する、ステップと、ＵＥによってサポートされるストリング内の指示子のみ、ＵＥのディスプレイ上に表示するステップとを含む。
【００３３】
ＵＥはさらに、ストリング内の指示子のいずれも表示されない場合、第１の特徴に続く優先順位を有する第２の特徴に従って、ネットワークを識別する情報の表示を試みるように構成されている。
【００３４】
ＵＥはさらに、スペース「  」またはハイフン「−」を含む、特殊指示子または指示子群が、表示されるために単独で残っている場合、依然として、それらをスキップし、第１の特徴に続く優先順位を有する第２の特徴を使用して、ネットワーク情報の表示を試みるように構成されている。
【００３５】
いくつかの実施形態を本開示で提供したが、開示されたシステムおよび方法は、本開示の範囲から逸脱することなく、多くの他の特定の形態で具現化され得ることを理解されたい。この実施例は、制限的ではなく例示的と見なされるものであり、本明細書で与えられる詳細に制限されることを意図するものではない。例えば、種々の要素またはコンポーネントが組み合わされるか、または別のシステムに統合され得、または、ある特徴が省略されるか、あるいは実装されなくてもよい。
【００３６】
また、個別または別個のものとして種々の実施形態で説明および図示される、技術、システム、サブシステム、および方法は、本開示の範囲から逸脱することなく、他のシステム、モジュール、技術、または方法と組み合わされるか、あるいは統合され得る。相互に連結される、または直接連結される、あるいは通信するものとして示される、または論議される他の項目は、電気的であろうと、機械的であろうと、または別の方法であろうと、何らかのインターフェース、デバイス、または中間コンポーネントを通して、間接的に連結されるか、または通信し得る。変更、置換、および改変の他の実施例が、当業者によって究明可能であり、本明細書で開示される精神および範囲から逸脱することなく行うことができる。
【図１】
2013544043.tif 000003
【図２】
2013544043.tif 000004
【図３】
2013544043.tif 000005
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）上に実装される方法であって、
ネットワークを識別するテキストストリングを受信することであって、前記ストリングは、少なくとも２つの文字を含み、前記ストリングは、１つ以上のサポート文字および１つ以上の非サポート文字の両方を表す、ことと、
前記１つ以上のサポート文字を表示することと、
前記１つ以上の非サポート文字の表示をスキップすることと
を含み、
前記テキストストリングは、ネットワーク識別および時間帯情報（ＮＩＴＺ）特徴に基づき、前記テキストストリング内の各非サポート文字は、前記ＵＥの言語構成と一致しない、方法。
【請求項２】
前記非サポート文字は、表意文字である、請求項１に記載の方法。
【請求項３】
前記非サポート文字は、部分的グラフィックである、請求項１に記載の方法。
【請求項４】
前記非サポート文字は、画像である、請求項１に記載の方法。
【請求項５】
前記非サポート文字は、記号である、請求項１に記載の方法。
【請求項６】
文字コーディングは、モバイル通信用グローバルシステム（ＧＳＭ（登録商標））デフォルトアルファベットに従い、または、国際標準化機構／国際電気標準会議（ＩＳＯ／ＩＥＣ）規格１０６４６に従って行われる、請求項１に記載の方法。
【請求項７】
ユーザ機器（ＵＥ）であって、
プロセッサを備え、前記プロセッサは、
ネットワークを識別するテキストストリングを受信することであって、前記ストリングは、少なくとも２つの文字を含み、前記ストリングは、１つ以上のサポート文字および１つ以上の非サポート文字の両方を表す、ことと、
前記１つ以上のサポート文字を表示することと、
前記１つ以上の非サポート文字の表示をスキップすることと
を行うように構成されており、
前記テキストストリングは、ネットワーク識別および時間帯情報（ＮＩＴＺ）特徴に基づき、前記テキストストリング内の各非サポート文字は、前記ＵＥの言語構成と一致しない、ユーザ機器（ＵＥ）。
【請求項８】
文字コーディングは、モバイル通信用グローバルシステム（ＧＳＭ（登録商標））デフォルトアルファベットに従い、または、国際標準化機構／国際電気標準会議（ＩＳＯ／ＩＥＣ）規格１０６４６に従って行われる、請求項７に記載のＵＥ。
【請求項９】
前記非サポート文字は、表意文字である、請求項７に記載のＵＥ。
【請求項１０】
命令を維持している非一時的コンピュータ可読媒体であって、前記命令は、プロセッサによって実行されると、
ネットワークを識別するテキストストリングを受信することであって、前記ストリングは、少なくとも２つの文字を含み、前記ストリングは、１つ以上のサポート文字および１つ以上の非サポート文字の両方を表す、ことと、
前記１つ以上のサポート文字を表示することと、
前記１つ以上の非サポート文字の表示をスキップすることと
を含む方法を実施し、
前記テキストストリングは、ネットワーク識別および時間帯情報（ＮＩＴＺ）特徴に基づき、前記テキストストリング内の各非サポート文字は、前記ＵＥの言語構成と一致しない、コンピュータ可読媒体。
【請求項１１】
前記非サポート文字は、表意文字である、請求項１０に記載のコンピュータ可読媒体。
【請求項１２】
文字コーディングは、モバイル通信用グローバルシステム（ＧＳＭ（登録商標））デフォルトアルファベットに従い、または、国際標準化機構／国際電気標準会議（ＩＳＯ／ＩＥＣ）規格１０６４６に従って行われる、請求項１０に記載のコンピュータ可媒体。
【請求項１３】
ユーザ機器（ＵＥ）上に実装される方法であって、
ネットワークを識別する指示子のストリングを受信することであって、前記ストリングは、少なくとも１つのサポート指示子および少なくとも１つの非サポート指示子の両方を有する、ことと、
前記ＵＥが、前記指示子のストリングのうちの１つ以上の指示子をサポートするかどうかを決定することと、
前記ストリングのうちの前記ＵＥによってサポートされるそれらの指示子に対応する文字のみ、前記ＵＥのディスプレイ上に表示することと、
非サポート指示子に対応する文字の表示をスキップすることと
を含み、
前記指示子のストリングは、ネットワーク識別および時間帯情報（ＮＩＴＺ）特徴に基づき、前記ストリングのうちの各サポートされていない指示子は、前記ＵＥの言語構成に対応していない、方法。
【請求項１４】
文字コーディングは、モバイル通信用グローバルシステム（ＧＳＭ（登録商標））デフォルトアルファベットに従い、または、国際標準化機構／国際電気標準会議（ＩＳＯ／ＩＥＣ）規格１０６４６に従って行われる、請求項１３に記載の方法。
【請求項１５】
ユーザ機器（ＵＥ）であって、
プロセッサを備え、前記プロセッサは、
ネットワークを識別する指示子のストリングを受信することであって、前記ストリングは、少なくとも１つのサポート指示子および少なくとも１つの非サポート指示子の両方を有する、ことと、
前記ＵＥが、前記指示子のストリングのうちの１つ以上の指示子をサポートするかどうかを決定することと、
前記ストリングのうちの前記ＵＥによってサポートされるそれらの指示子に対応する文字のみ、前記ＵＥのディスプレイ上に表示することと、
非サポート指示子に対応する文字の表示をスキップすることと
を行うように構成され、
前記指示子のストリングは、ネットワーク識別および時間帯情報（ＮＩＴＺ）特徴に基づき、前記ストリングのうちの各サポートされていない指示子は、前記ＵＥの言語構成に対応していない、ユーザ機器（ＵＥ）。
【請求項１６】
文字コーディングは、モバイル通信用グローバルシステム（ＧＳＭ（登録商標））デフォルトアルファベットに従い、または、国際標準化機構／国際電気標準会議（ＩＳＯ／ＩＥＣ）規格１０６４６に従って行われる、請求項１５に記載のＵＥ。
【請求項１７】
命令を維持している非一時的コンピュータ可読媒体であって、前記命令は、プロセッサによって実行されると、
ネットワークを識別する指示子のストリングを受信することであって、前記ストリングは、少なくとも１つのサポート指示子および少なくとも１つの非サポート指示子の両方を有する、ことと、
前記ＵＥが、前記指示子のストリングのうちの１つ以上の指示子をサポートするかどうかを決定することと、
前記ストリングのうちの前記ＵＥによってサポートされるそれらの指示子に対応する文字のみ、前記ＵＥのディスプレイ上に表示することと、
非サポート指示子に対応する文字の表示をスキップすることと
を含む方法を実施し、
前記指示子のストリングは、ネットワーク識別および時間帯情報（ＮＩＴＺ）特徴に基づき、前記指示子のストリングのうちの各非サポート文字は、前記ＵＥの言語構成と一致しない、コンピュータ可読媒体。
【請求項１８】
文字コーディングは、モバイル通信用グローバルシステム（ＧＳＭ（登録商標））デフォルトアルファベットに従い、または、国際標準化機構／国際電気標準会議（ＩＳＯ／ＩＥＣ）規格１０６４６に従って行われる、請求項１７に記載の前記コンピュータ可読媒体。
【手続補正２】
【補正対象書類名】明細書
【補正対象項目名】０００６
【補正方法】変更
【補正の内容】
【０００６】
ネットワーク情報の表示の間等、ＵＥ上に誤ったまたは理解不能な指示子の表示を防止する、方法およびシステムが、本明細書において開示される。ある実施形態では、指示子のストリングは、ネットワーク識別情報を表し得る。別の実施形態では、指示子のストリングは、任意の対応する情報をＵＥ上に表示するために、ＵＥによってデコードされる任意のストリングであり得る。指示子は、１つ以上の英数字、表意文字、テキスト、部分的グラフィック、画像、他の識別指示子、文字、記号、またはそれらの組み合わせを備え得る。本方法は、それらの指示子が、ＵＥによってサポートされない形式またはタイプである場合、ネットワーク情報と関連付けられた１つ以上の指示子をスキップすることを含む。指示子のストリングは、例えば、ＵＳＩＭ特徴の使用中、またはＮＩＺＴ特徴の使用中（例えば、ＵＳＩＭ特徴が利用不可能またはサポートされない場合）に、ネットワークから送信され得る。したがって、ＵＥは、ネットワーク情報を表示するために、特徴のうちの１つの使用中、ＵＥによってサポートされる形式またはタイプにおいて受信される指示子のみ、表示し得る。指示子のいずれも、ＵＥによってサポートされる形式で受信されない場合、指示子はすべて、スキップされ得、特徴は、サポートされる場合でも、使用されない場合がある。代わりに、ネットワーク情報を表示するための次の利用可能な高優先順位特徴が試みられ得る。同様に、サポートされる形式において受信される指示子のみ、次の高優先順位特徴の使用中、表示され得る。このプロセスは、ネットワーク情報と関連付けられる指示子が、利用可能特徴に従って、適切に表示され得るまで反復され得る。ある実施形態では、ＵＥは、スペース「  」またはハイフン「−」等、表示されるために単独で残っている場合、依然として、特殊指示子または指示子群をスキップし、ネットワーク情報を表示するための次の利用可能な高優先順位特徴の使用を試み得る。
本発明はさらに、例えば、以下を提供する。
（項目１）
ユーザ機器（ＵＥ）であって、
ディスプレイと、
前記ＵＥが、第１の特徴に従って、１つ以上の指示子のストリングのうちの１つ以上の指示子をサポートするかどうかを決定するように構成されているプロセッサと
を備え、
前記１つ以上の指示子のストリングは、ネットワークを識別し、前記プロセッサは、前記ストリングのうちの前記ＵＥによってサポートされる指示子のみを前記ＵＥの前記ディスプレイ上に表示するようにさらに構成されている、ユーザ機器（ＵＥ）。
（項目２）
ユーザ機器（ＵＥ）上に実装される方法であって、
前記ＵＥが、第１の特徴に従って、１つ以上の指示子のストリングのうちの１つ以上の指示子をサポートするかどうか決定することであって、前記１つ以上の指示子のストリングは、ネットワークを識別する、ことと、
前記ストリングのうちの前記ＵＥにサポートされる指示子のみ、前記ＵＥの前記ディスプレイ上に表示することと
を含む、方法。
（項目３）
前記ストリングのうちのいずれの指示子も表示されない場合、前記ＵＥは、前記第１の特徴に続く優先順位を有する第２の特徴に従って、前記ネットワークを識別する情報を表示しようと試みる、項目１に記載のＵＥまたは２に記載の方法。
（項目４）
前記第１の特徴は、汎用加入者識別モジュール（ＵＳＩＭ）特徴であり、前記第２の特徴は、ネットワーク識別および時間帯情報（ＮＩＺＴ）特徴である、項目１に記載のＵＥまたは項目２に記載の方法。
（項目５）
前記第１の特徴に基づき、前記ＵＥは、前記指示子のストリングと、対応するＰＬＭＮ識別子（ＩＤ）とをパブリックランドモバイルネットワーク（ＰＬＭＮ）から受信し、前記指示子のストリングを前記ＵＳＩＭ内に記憶し、前記ＵＥは、ネットワークブロードキャストチャネル（ＢＣＣＨ）において第２のＰＬＡＭＮ  ＩＤをさらに受信し、前記ＵＳＩＭにおける前記指示子のストリングに対応する前記ＰＬＡＭＮ  ＩＤは、前記ＢＣＣＨにおいて受信される前記第２のＰＬＡＭＮ  ＩＤに一致する、項目４に記載のＵＥ。
（項目６）
前記ＰＬＭＮ  ＩＤは、モバイル国コード（ＭＭＣ）とモバイルネットワークコード（ＭＮＣ）との任意の組み合わせを備えている、項目５に記載のＵＥ。
（項目７）
前記ＰＬＭＮ  ＩＤは、ローカルエリアＩＤ（ＬＡＩ）によって、提供される、項目５に記載のＵＥ。
（項目８）
前記第１の特徴は、ネットワーク識別および時間帯情報（ＮＩＺＴ）特徴であり、前記第２の特徴は、ＵＥ記憶情報を使用することに基づく、項目１に記載のＵＥまたは項目２に記載の方法。
（項目９）
前記ＵＥは、前記第１の特徴に基づいて、前記指示子のストリングをネットワークから受信する、項目８に記載のＵＥ。
（項目１０）
前記ストリングのうちの各サポートされる指示子に対応する前記ネットワーク情報は、テキストフォーマット、グラフィックフォーマット、または両方で表示される、項目１に記載のＵＥまたは項目２に記載の方法。
（項目１１）
前記ストリングのうちの各サポートされない指示子は、前記ＵＥによってサポートされないフォントタイプに対応する、項目１に記載のＵＥまたは項目２に記載の方法。
（項目１２）
前記ストリングのうちの各サポートされない指示子は、前記ＵＥによって認識されないフォーマットを有する、項目１に記載のＵＥまたは項目２に記載の方法。
（項目１３）
前記ＵＥが、前記ストリングのうちの指示子によって表されるテキストおよびグラフィックを表示しない場合、前記ネットワーク情報は、前記第２の特徴に基づいて表示される、項目１に記載のＵＥまたは項目２に記載の方法。
（項目１４）
前記指示子は、１つ以上の英数字、テキスト、部分的グラフィック、画像、他の識別する指示子、またはそれらの組み合わせを備えている、項目１に記載のＵＥまたは項目２に記載の方法。
（項目１５）
前記ＵＥは、スペース「  」またはハイフン「−」を含む特殊指示子または指示子群が、表示されるために単独で残っている場合、依然として、それらをスキップし、ネットワーク情報を表示するために、前記第１の特徴に続く優先順位を有する第２の特徴を使用することを試みる、項目１に記載のＵＥまたは項目２に記載の方法。
（項目１６）
コンピューティングデバイスのプロセッサによって実行可能なコンピュータ可読命令を記憶するコンピュータ可読媒体であって、前記命令は、前記デバイスに前記方法の項目のうちのいずれか一項の方法を実装させる、コンピュータ可読媒体。
【国際調査報告】
2013544043.tif 000006
2013544043.tif 000007